(57)【要約】【解決手段】本発明は単品の家具に関する。その家具は、家具本体（２）と、その家具本体に対して可動であるように設けられた家具部品（３）と、その家具部品を動かすための駆動装置（５）とを備える。その駆動装置はスイッチ要素（４）を介して起動され得ると共に、少なくとも１つのモータを備える。スイッチ要素（４）は、家具部品（３）が閉じられたとき、家具本体（２）内または上にて家具部品（３）によってカバーされる。そしてユーザーによりもたらされると共に可動家具部品（３）に及んだ力によるスイッチ要素（４）の間接作動により、前記駆動ユニットが起動する。駆動装置（５）を起動させるスイッチ要素（４）は、ユーザーが接近し易いものであり、家具部品（３）が閉じ位置から動いたとき、直接に起動させることが可能である。【選択図】図４
2010527659.tif 000002
【特許請求の範囲】
【請求項１】
家具本体と、その家具本体に対して移動可能に設けられた家具部品と、スイッチ要素によって起動可能であり且つ前記家具部品を動かすための少なくとも一つのモータを有する駆動装置とを備えた家具であって、
前記スイッチ要素は、閉じ位置にある前記家具部品によって前記家具本体内または家具本体上に隠されるものであり、ユーザーが前記可動家具部品に力をかけることによる前記スイッチ要素の間接起動によって、前記駆動装置ユニットが起動する家具において、
前記駆動装置（５）を起動させるスイッチ要素（４）は、家具部品（３）が前記閉じ位置から離れるときに、ユーザーが接近でき且つ直接的に起動可能なものである、ことを特徴とする家具。
【請求項２】
前記家具部品（３）の閉じ位置と開き位置との間の移動行程の少なくとも一部において当該家具部品（３）の位置を検出するための位置測定装置が設けられている、ことを特徴とする請求項１に記載の家具。
【請求項３】
前記スイッチ要素（４）は、少なくとも一つの発光手段（６）を有している、ことを特徴とする請求項１又は２に記載の家具。
【請求項４】
前記少なくとも一つの発光手段（６）は、前記位置測定装置からの信号に応じてスイッチ動作可能である、ことを特徴とする請求項３に記載の家具。
【請求項５】
前記スイッチ要素（４）は、バネ付きピン（７）を有している、ことを特徴とする請求項１〜４のいずれか一項に記載の家具。
【請求項６】
前記少なくとも一つの発光手段（６）は、前記ピン（７）に隣接配置されている、ことを特徴とする請求項５に記載の家具。
【請求項７】
前記家具部品（３）は、引き出しまたはフラップである、ことを特徴とする請求項１〜６のいずれか一項に記載の家具。
【発明の詳細な説明】
【技術分野】
【０００１】
本発明は、家具（家具製品）に関する。特に、家具本体と、その家具本体に対して移動可能に設けられた家具部品と、前記家具部品を動かすためのスイッチ要素によって起動可能な駆動装置とを備えた家具であって、前記スイッチ要素が、閉じ位置にある前記家具部品によって前記家具本体内または家具本体上に隠される家具に関する。
【背景技術】
【０００２】
そのような家具製品の場合、スイッチ要素の作動およびその結果としての駆動装置の起動は、ユーザーによって引き起こされる家具部品の移動により間接的に実行される。例えば、閉じ位置において家具部品の一部がスイッチ要素にもたれかかるように構成することが可能であり、それ故に、ユーザーが家具部品を家具本体内に押し込むことで、例えば加圧スイッチの形をしたスイッチ要素が作動する。そして、その目的のためには当然であるが、家具本体の中または上において、閉じ位置にある家具部品のために十分に大きな押し込み代が残される。それは、スプリング（バネ）緩衝材によって公知のやり方で確保される。
【０００３】
仮に、駆動装置が起動された後に、家具部品が部分的な又は完全な開き位置となるならば、従来式のスイッチ要素は更なる機能（性）を必要としない。
【０００４】
家具部品の閉じ位置への復帰移動が前記駆動装置によってアシストされることがしばしば望ましいこともあるので、家具部品の部分的または完全な開き位置において駆動装置を起動させるために、別の追加のスイッチ要素を設けることができる。そのためには、追加のコストと構造面の複雑化とが関与する。
【発明の概要】
【発明が解決しようとする課題】
【０００５】
本発明の目的は、構造面での著しい複雑化を招くこと無く且つ低コストで同じ機能が提供されるように、前述したような種類の家具製品を開発することにある。
【課題を解決するための手段】
【０００６】
本発明の目的は、請求項１に記載の特徴を有する家具（製品）によって達成される。
【０００７】
従って、家具部品が閉じ位置にあるか、閉じ位置とは異なる位置にあるかどうかにかかわらず、同じスイッチ要素が、駆動装置を起動する役目を担うことができる。
【０００８】
本発明は、家具部品の所与の形態に限定されるものではない。例えば、家具部品は、引き出し、またはフラップ（跳ね扉）であってもよい。
【０００９】
本発明は特に、家具部品がフラップである場合に有利である。必然的に、閉じ位置にある状態よりも高い位置にある開かれたフラップが、そのフラップ自体に力を及ぼすことで起動されるということは、既に知られているところである（例えば、ユーザーによる家具部品の動きを検知するために検知装置が設けられている）。しかし、そのことは、特に相対的に背の低いユーザーにとって開き位置のフラップに（手が）届くのが難しくなるという不都合をもたらす。本発明によって提供される手段（方策）とは、もはや家具部品によって覆い隠されていないスイッチ要素を直接に作動させるユーザーによって、フラップの閉じ操作（すなわち、完全なまたは部分的な開き位置から閉じ位置への動き）を容易に行わせることである。
【００１０】
その種の作動は、家具部品の形態に関わりなく、提供されることができる。
【００１１】
本発明の特に好ましい実施形態では、スイッチ要素は、少なくとも一つの発光手段を有している。スイッチ要素の位置は、発光手段によってユーザーに示される。
【００１２】
スイッチ要素が家具部品によって覆い隠される家具部品の閉じ位置において、前記発光手段はアクティブである（つまり、輝いている）必要はないので、家具部品が少なくとも部分的に開かれる（即ち、スイッチ要素が視認可能になるような程度にまで少なくとも開かれる）ときだけ、発光手段がアクティブ状態に切り換わるようにすることができる。そのことは、例えば、家具部品の閉じ位置と開き位置との間の移動行程の少なくとも一部において当該家具部品の位置を検出するための位置測定装置を設け、少なくとも一つの発光手段を前記位置測定装置からの信号に応じて切り換え可能とすることで、実現することができる。あるいは、開き位置の家具部品によって作動されるリミットスイッチを配設することでも可能である。
【００１３】
前記位置測定装置はまた、発光手段の配設とはまったく無関係に設けることができ、例えば、スイッチ要素による駆動装置の起動に加えて、家具部品の動きの検出によって駆動装置を起動させることができる。
【００１４】
追加的または代替的には、位置測定装置の信号はまた、駆動装置の制御ユニットにおいて、速度および加速度のような家具部品の運動値を計算するために役立てることもできる。それは、家具部品の検出運動値に応じて、駆動装置による家具部品の駆動をもたらすことを可能にする。
【００１５】
それ自体で、スイッチ要素に様々な構造的形態を採用することが可能である。例えば、スイッチ要素は、非接触モードで起動されるセンサー（例えば容量センサー）を持つことができる。ただし、スイッチ要素がバネ付きの押圧ピンを持つならば、特に簡素なスイッチ要素の形態が提供される。そうすれば、押圧ピンが押し込まれるときだけスイッチ要素が駆動装置を起動するように構成することができる。ただし代替的には、対抗する力が働くことなく所定量だけスイッチ要素の外へ出てくるように、押圧ピンをスイッチ要素上に装着することも可能である。家具部品が接触するとき、適切に構成された蓄力手段（例えばスプリング）によるか、あるいは家具部品自体（の質量）によるか、および任意的には閉じ装置の閉じ状態保持力によって、スイッチ要素の外への動きが防止される。ただし、何らかの理由によって家具部品がユーザーによって家具本体から離されたときには、押圧ピンは所定の距離だけスイッチ要素の外へ移動することができ、その結果、スイッチ要素が駆動装置を起動させる。そのことは、閉じ位置にある家具部品に対して、押すだけではなく引くことによっても、駆動装置を起動させる方法を提供する。
【００１６】
当然ながら、少なくとも一つの発光手段が押圧ピンに隣接して配置されていることは、好ましい。
【００１７】
本発明の特に好ましい実施形態では、前記駆動装置は少なくとも一つの電気モータを有している。
【００１８】
前記位置測定装置は、例えば、線形ないし回転ポテンショメータであってもよい。また、スイッチ要素は無線スイッチであってもよい。特に、そのような無線スイッチを無バッテリー方式で設計することは可能であり、その場合には、無線作動に要求される電力の発生は、圧電性結晶または電気力学的手段により（例えば可動コイルにより）もたらされる。
【００１９】
本発明の更なる利点および詳細は、以下の図面およびその関連する説明から明らかとなるであろう。
【図面の簡単な説明】
【００２０】
【図１】図１ａ及び１ｂは、本発明に従う家具において使用され得るスイッチ要素の実施例の斜視図および分解図である。
【図２】図２ａ，２ｂ及び２ｃは、各作動位置における図１の実施例を示す。
【図３】図３は、本発明に従う家具の一部分を示す。
【図４】図４ａ及び４ｂは、本発明に従う家具の別例の斜視図及び詳細図（部分拡大図）である。
【発明を実施するための形態】
【００２１】
図１ａは、弾性支持されたピン７を持ったスイッチ要素４の実施例の斜視図を示す。ここで、発光ダイオード（ＬＥＤ）形態の二つの発光手段がピン７に隣接して配置されている。
【００２２】
スイッチ要素４の構造は、特に図１ｂの分解図からわかる。そこから見て取れるように、ピン７は歯付きの伸長部８を有しており、その伸長部８は、位置測定を実行する回転ポテンショメータ１０の制御部材（本例では、ギヤ９の形態）と噛み合う。
【００２３】
更には、ピン７に荷重を付与するスプリング１１だけでなく、電気線１２も観察できる。電気線１２は、回転ポテンショメータ１０が配置された回路基板１３に電力供給する役目を果たすのみならず、当該ポテンショメータからの信号を駆動装置５の制御装置部（図示略）に受け渡す役目も果たす。
【００２４】
図３に詳細に示すように、電気線１２は、家具本体２の壁または底部において、通路１４内に保護して延設できる。
【００２５】
スイッチ要素４は、ハウジングカバー１５によって覆い隠されている。ケーブルホルダー１６が、電気線１２にかかる引張荷重を緩和するために設けられている。
【００２６】
図２ａ〜２ｃは、スイッチ要素４のピン７における３つの異なる作用位置を示す。スプリング１１は圧縮スプリングの形態であるので、ピン７は常に、それをハウジングの外側に付勢しようとする圧縮スプリングの力を受ける。
【００２７】
スイッチ要素４の中立位置を示す図２ｂでは、ピン７は、可動家具部品３（図示略）により、スプリング１１の付与力に抗して図示された位置に保持される。図２ａでは、可動家具部品３はユーザーによってピン７から離された状態にあり、それにより、スプリング１１はピン７をハウジングの外へ付勢することができる。それは、回転ポテンショメータ１０によって検知され、電気線１２を介して駆動装置を起動させるための制御装置（図示略）に伝達される。図２ｃでは、可動家具部品が家具本体内に動かされた状態にあり、それにより、ピン７は、スプリング１１の付与力に抗してハウジング内に深く押し込まれる。再度、その動きが回転ポテンショメータ１０によって検知され、電気線１２を介して駆動装置５を起動させるための制御ユニット（図示略）に伝達される。
【００２８】
図３は、家具本体２に搭載（装着）された状態にある図１及び図２のスイッチ要素４を示す。いまだ押し込まれていない状態にある二つの取り付け凸部１７が見てとれる。これらの凸部１７を押し込むことにより、スイッチ要素４のハウジングが家具本体２の孔（又は凹所）に保持される。
【００２９】
図４ａは、家具本体すなわちカーカスと、フラップ（跳ね扉）の形をした可動家具部品３とを具備した家具（家具物品）１を示す。この実施例では、本発明に従うスイッチ要素４が家具本体２の側壁に装着されている（図４ｂ参照）。
【００３０】
この実施例では、家具部品３用の駆動装置５は、家具部品３自体の制御機構に一体化されている。
【００３１】
家具本体２上で閉じ位置にある家具部品３のための十分な押し込み代の存在を確保するために、スペーサ（図示略）、例えばスプリング緩衝材が設けられる。
【００３２】
取付け許容性の手当ては、回転ポテンショメータ１０によっても可能である。回転ポテンショメータに代えて、線形ポテンショメータを採用することもまた可能である。
【００３３】
ポテンショメータを配設する代わりに、ピン７によって機械的に起動され且つ起動時には電気的接触を閉じる簡単なスイッチを設けることも可能である。そのスイッチは、押しボタンや回転スイッチのみならず、オープナー（開放型スイッチ、スイッチを離したときに接触状態となる）あるいはクローザー（閉塞型スイッチ、スイッチを入れたときに接触状態となる）であってもよい。
【図１ａ】
2010527659.tif 000003
【図１ｂ】
2010527659.tif 000004
【図２ａ】
2010527659.tif 000005
【図２ｂ】
2010527659.tif 000006
【図２ｃ】
2010527659.tif 000007
【図３】
2010527659.tif 000008
【図４ａ】
2010527659.tif 000009
【図４ｂ】
2010527659.tif 000010
【国際調査報告】
2010527659.tif 000011
2010527659.tif 000012
2010527659.tif 000013
2010527659.tif 000014